(57)【要約】      （修正有）【課題】乾燥などによる密着不良による通電不良を回避して次のステップに確実に進むことができるＡＥＤトレーニング装置用パッドを提供する。【解決手段】ＡＥＤトレーニング装置用パッド１００は、パッド部と、パッド部とＡＥＤトレーニング装置本体とを接続するコネクタ付き配線コード１２０とを備えている。パッド部が、パッド厚み方向Ｄにおいて互いに少なくとも一部を対向させるとともに離間して配置されてコネクタ付き配線コードと電気的にそれぞれ接続する２つの線状またはシート状接点１１１と、パッド厚み方向において２つの線状またはシート状接点の間に配置されて２つの線状またはシート状接点におけるパッド位置中央部分１１１ａと対向せず２つの線状またはシート状接点におけるパッド位置側方部分１１１ｂの少なくとも一部と対向する絶縁性の弾性部材１１２と、パッド部の外表面を形成する変形自在なシート状カバー１１３とを有する。【選択図】図２
0003232409.tif 000002
【実用新案登録請求の範囲】
【請求項１】
ＡＥＤトレーニング装置本体と電気的に接続した２つ一組のパッド部を人体模型または人体イラストに当てるＡＥＤトレーニング装置用パッドであって、
パッド部と、
前記パッド部とＡＥＤトレーニング装置本体とを接続するコネクタ付き配線コードとを備え、
前記パッド部が、パッド厚み方向において互いに少なくとも一部を対向させるとともに離間して配置されてコネクタ付き配線コードと電気的にそれぞれ接続する２つの線状またはシート状接点と、
前記パッド厚み方向において２つの線状またはシート状接点の間に配置されて２つの線状またはシート状接点におけるパッド位置中央部分と対向せず２つの線状またはシート状接点におけるパッド位置側方部分の少なくとも一部と対向する絶縁性の弾性部材と、
前記パッド部の外表面を形成する変形自在なシート状カバーとを有していることを特徴とするＡＥＤトレーニング装置用パッド。
【請求項２】
前記パッド部が、前記パッド厚み方向においてシート状カバーと線状またはシート状接点との間に配置されてシート状カバーと線状またはシート状接点とを接着する粘着層をさらに有していることを特徴とする請求項１に記載のＡＥＤトレーニング装置用パッド。
【請求項３】
ＡＥＤトレーニング装置本体の筐体ケースが、開口を有してＡＥＤトレーニング装置用パッドを収納するパッド収納部と、
前記開口を開閉自在な蓋部とを備え、
前記ＡＥＤトレーニング装置用パッドが、請求項１または請求項２に記載のＡＥＤトレーニング装置用パッドであることを特徴とするＡＥＤトレーニング装置本体の筐体ケース。
【請求項４】
前記ＡＥＤトレーニング装置本体の筐体ケースが、透明シート状部材で形成されて筐体ケースの一部を覆うとともに開口を有してシートを収納自在なシート収納部を備えていることを特徴とする請求項３に記載のＡＥＤトレーニング装置本体の筐体ケース。
【考案の詳細な説明】
【技術分野】
【０００１】
本考案は、ＡＥＤトレーニング装置本体と電気的に接続した２つ一組のパッド部を人体模型または人体イラストに当てるＡＥＤトレーニング装置用パッド、および、ＡＥＤトレーニング装置本体の筐体ケースに関する。
【背景技術】
【０００２】
従来、ＡＥＤ本体とみなす適宜平面形状を有する本体部と、本体部に対して開閉自在に設けた蓋部と、本体部に内装された電源電池と電池を電源とする電子回路と電子回路に接続されて作動する少なくともスイッチ，ＬＥＤ，スピーカを備えた電子作動部と、本体部から離隔して位置付けられるようにケーブルを介して電子回路に接続された電極パッドとを少なくとも備えて形成したＡＥＤトレーニング装置が知られている（例えば、特許文献１）。
【先行技術文献】
【特許文献】
【０００３】
【特許文献１】特開２０１６−９９４６４号公報
【考案の概要】
【考案が解決しようとする課題】
【０００４】
しかしながら、上述した従来のＡＥＤトレーニング装置において、人体模型または人体イラストの電極パッドが貼付される部位に、導電材料を備えて形成した電極貼付位置が設けられた構造であったため、電極パッドを電極貼付位置に押し当てた際、電極パッドの貼り付け面の接着層が経年劣化などにより乾燥などして、電極パッドが電極貼付位置と密着せず、通電不良を生じ、次のステップに進めず、演習を進めることが困難となってしまうという問題があった。
【０００５】
そこで、本考案は、前述したような従来技術の問題を解決するものであって、すなわち、本考案の目的は、乾燥などによる密着不良による通電不良を回避して次のステップに確実に進むことができるＡＥＤトレーニング装置用パッドを提供することである。
【課題を解決するための手段】
【０００６】
本請求項１に係る考案は、ＡＥＤトレーニング装置本体と電気的に接続した２つ一組のパッド部を人体模型または人体イラストに当てるＡＥＤトレーニング装置用パッドであって、パッド部と、前記パッド部とＡＥＤトレーニング装置本体とを接続するコネクタ付き配線コードとを備え、前記パッド部が、パッド厚み方向において互いに少なくとも一部を対向させるとともに離間して配置されてコネクタ付き配線コードと電気的にそれぞれ接続する２つの線状またはシート状接点と、前記パッド厚み方向において２つの線状またはシート状接点の間に配置されて２つの線状またはシート状接点におけるパッド位置中央部分と対向せず２つの線状またはシート状接点におけるパッド位置側方部分の少なくとも一部と対向する絶縁性の弾性部材と、前記パッド部の外表面を形成する変形自在なシート状カバーとを有していることにより、前述した課題を解決するものである。
【０００７】
本請求項２に係る考案は、請求項１に記載されたＡＥＤトレーニング装置用パッドの構成に加えて、前記パッド部が、前記パッド厚み方向においてシート状カバーと線状またはシート状接点との間に配置されてシート状カバーと線状またはシート状接点とを接着する粘着層をさらに有していることにより、前述した課題をさらに解決するものである。
【０００８】
本請求項３に係る考案は、ＡＥＤトレーニング装置本体の筐体ケースが、開口を有してＡＥＤトレーニング装置用パッドを収納するパッド収納部と、前記開口を開閉自在な蓋部とを備え、前記ＡＥＤトレーニング装置用パッドが、請求項１または請求項２に記載のＡＥＤトレーニング装置用パッドであることにより、前述した課題をさらに解決するものである。
【０００９】
本請求項４に係る考案は、請求項３に記載されたＡＥＤトレーニング装置本体の筐体ケースの構成に加えて、前記ＡＥＤトレーニング装置本体の筐体ケースが、透明シート状部材で形成されて筐体ケースの一部を覆うとともに開口を有してシートを収納自在なシート収納部を備えていることにより、前述した課題をさらに解決するものである。
【考案の効果】
【００１０】
本考案のＡＥＤトレーニング装置用パッドは、２つ一組のパッド部を備えていることにより、パッド部を人体模型または人体イラストに当てることができるばかりでなく、以下のような特有の効果を奏することができる。
【００１１】
本請求項１に係る考案のＡＥＤトレーニング装置用パッドによれば、ＡＥＤトレーニングの際にユーザーがパッド部を人体模型または人体イラストに当てて密着させるためにパッド部の中央を強く押しつけると、パッド部の内部において互いに離間していた２つの線状またはシート状接点が接近する方向に力が作用して弾性部材が変形して２つの線状またはシート状接点の中央部分が互いに接触して通電するため、ＡＥＤトレーニング装置本体が通電を検知して次のステップに進むことができる。
つまり、パッド部と人体模型または人体イラストとの密着程度に関わらず、ユーザーがパッド部を人体模型または人体イラストに当ててパッド部の中央を強く押しつけるとパッド部の内部において確実に通電するため、乾燥などによる密着不良による通電不良を回避して次のステップに確実に進むことができる。
なお、ユーザーがパッド部の中央を強く押しつけてから手を離すと弾性部材が元の形状に戻るとともに弾性部材の弾性力により２つの線状またはシート状接点におけるパッド位置中央部分がパッド厚み方向において互いに離間移動するため、２つの線状またはシート状接点の電気的接触について元の不通電状態に戻すことができる。
【００１２】
本請求項２に係る考案のＡＥＤトレーニング装置用パッドによれば、請求項１に係る考案が奏する効果に加えて、ユーザーがパッド部の中央を強く押しつけてから手を離すと弾性部材が元の形状に戻るとともに弾性部材の弾性力によりシート状カバーがパッド厚み方向における離間移動のように元の形状に戻され、これとともに、２つの線状またはシート状接点もシート状カバーの離間移動とともに互いに離間移動するため、２つの線状またはシート状接点の電気的接触についてより確実に元の不通電状態に戻すことができる。
つまり、繰り返し使用した場合であっても電気接続の面で経年劣化しないため、耐久性のあるＡＥＤトレーニング装置用パッドを提供することができる。
【００１３】
本請求項３に係る考案のＡＥＤトレーニング装置本体の筐体ケースによれば、請求項１または請求項２に係る考案が奏する効果に加えて、ＡＥＤトレーニング装置本体と一緒に使用するＡＥＤトレーニング装置用パッドが筐体ケースのパッド収納部に収納自在となるため、ユーザーはＡＥＤトレーニング装置本体を使用する際にパッド収納部からＡＥＤトレーニング装置用パッドを取り出して使用し、使用後においてＡＥＤトレーニング装置用パッドをパッド収納部の内部に戻すことによりＡＥＤトレーニング装置用パッドの紛失を回避することができる。
【００１４】
本請求項４に係る考案のＡＥＤトレーニング装置本体の筐体ケースによれば、請求項１乃至請求項３のいずれか１つに係る考案が奏する効果に加えて、例えば、ＡＥＤ装置の外装デザインと同じデザインのシートがシート収納部に収納自在となり、実際に学校などに設置されているＡＥＤ装置の外装デザインと同じデザインのシートをシート収納部に収納することにより、ユーザーがＡＥＤトレーニング装置本体の筐体ケースのシート収納部に収納されたシートを見たとき、ＡＥＤトレーニング装置が、実際に学校などに設定されているＡＥＤ装置とほぼ同一視されるため、ユーザーのＡＥＤ装置についての認識度を高めることができる。
【図面の簡単な説明】
【００１５】
【図１】本考案の実施例であるＡＥＤトレーニング装置の全体を示す図。
【図２】（Ａ）（Ｂ）は本考案の実施例であるＡＥＤトレーニング装置用パッドの分解斜視図および平面内部透視図。
【図３】（Ａ）（Ｂ）は図２（Ｂ）に示す符号３Ａ−３Ａから視た断面図およびユーザーがＡＥＤトレーニング装置用パッドを手で押したときの様子を示す断面図。
【図４】（Ａ）（Ｂ）はＡＥＤトレーニング装置本体の筐体ケースの裏面を示す図および図１に示す符号４Ｂから視た図。
【考案を実施するための形態】
【００１６】
本考案のＡＥＤトレーニング装置用パッドは、パッド部と、パッド部とＡＥＤトレーニング装置本体とを接続するコネクタ付き配線コードとを備え、パッド部が、パッド厚み方向において互いに少なくとも一部を対向させるとともに離間して配置されてコネクタ付き配線コードと電気的にそれぞれ接続する２つの線状またはシート状接点と、パッド厚み方向において２つの線状またはシート状接点の間に配置されて２つの線状またはシート状接点におけるパッド位置中央部分と対向せず２つの線状またはシート状接点におけるパッド位置側方部分の少なくとも一部と対向する絶縁性の弾性部材と、パッド部の外表面を形成する変形自在なシート状カバーとを有していることにより、乾燥などによる密着不良による通電不良を回避して次のステップに確実に進むことができるものであれば、その具体的な実施態様は、如何なるものであっても構わない。
【００１７】
例えば、２つの接点の形態・形状については、線状またはシート状で互いに接触自在なものであれば如何なるものであっても構わない。
また、絶縁性の弾性部材は、スポンジやゴムなど、外力により弾性変形し、外力から解放されたときに元の形状に戻るものであれば如何なるものであっても構わない。
【実施例】
【００１８】
以下に、本考案の実施例であるＡＥＤトレーニング装置用パッド１００を備えたＡＥＤトレーニング装置の一式について、図１乃至図４（Ｂ）に基づいて説明する。
ここで、図１は、本考案の実施例であるＡＥＤトレーニング装置の全体を示す図であり、図２（Ａ）は、本考案の実施例であるＡＥＤトレーニング装置用パッド１００の分解斜視図であり、図２（Ｂ）は、本考案の実施例であるＡＥＤトレーニング装置用パッド１００の平面内部透視図であり、図３（Ａ）は、図２（Ｂ）に示す符号３Ａ−３Ａから視た断面図であり、図３（Ｂ）は、図３（Ａ）に示す状態からユーザーがＡＥＤトレーニング装置用パッド１００を手で押したときの様子を示す断面図であり、図４（Ａ）は、ＡＥＤトレーニング装置本体ＴＫの筐体ケースＫＳの裏面を示す図であり、図４（Ｂ）は、ＡＥＤトレーニング装置本体ＴＫの筐体ケースＫＳを図１に示す符号４Ｂから視た図である。
【００１９】
本考案の実施例であるＡＥＤトレーニング装置用パッド１００を備えたＡＥＤトレーニング装置の一式は、図１に示すように、ＡＥＤトレーニング装置用パッド１００と、ＡＥＤトレーニング装置本体ＴＫと、人体模型または人体イラストの一例である人体イラストシートＢＳと、模擬心臓ＨＴとを備えている。
【００２０】
模擬心臓ＨＴの使い方について、先ず、ユーザーは、模擬心臓ＨＴを、人体イラストシートＢＳの所定の載置場所ＢＳ２に載置する。
そして、ユーザーが、胸骨圧迫（心臓マッサージ）の練習をする。
続いて、ＡＥＤトレーニング装置の使用例を通して、ＡＥＤトレーニング装置用パッド１００などの構成について説明する。
【００２１】
ＡＥＤトレーニング装置の一式のうち、ＡＥＤトレーニング装置用パッド１００は、２つ一組のパッド部１１０と、接続端子であるコネクタ付き配線コード１２０とを備えている。
なお、２つ一組のパッド部１１０は、貼り付け面側に図示しない粘着テープを有し、ＡＥＤトレーニングで使用しないとき、パッド用シートＰＳに貼られている。
そして、ＡＥＤトレーニングで使用しないとき、２つ一組のパッド部１１０およびコネクタ付き配線コード１２０は、詳しくは後述するように、ＡＥＤトレーニング装置本体ＴＫの筐体ケースＫＳに設けられたパッド収納部ＫＳ１に収納されている。
【００２２】
ＡＥＤトレーニングで使用するとき、コネクタ付き配線コード１２０が、ＡＥＤトレーニング装置本体ＴＫに接続され、２つ一組のパッド部１１０が、ＡＥＤトレーニング装置本体ＴＫと電気的に接続される。
そして、ＡＥＤトレーニング装置本体ＴＫのスイッチをＯＮにすると、ガイド音声がＡＥＤトレーニング装置本体ＴＫのスピーカＴＫ１から出力される。
一例として、「パッドをシートから剥がして図のように右胸と左脇腹に貼ってください。」の旨が音声で出力される。
このガイド音声の内容に沿って、ユーザーが、２つ一組のパッド部１１０を、人体イラストシートＢＳの所定の貼り付け箇所ＢＳ１に当てて、手でやや強く押さえつけて密着させる。
【００２３】
ここで、ＡＥＤトレーニング装置用パッド１００の構造について、詳しく説明する。
図２（Ａ）に示すように、パッド部１１０が、２つの線状またはシート状の接点の一例としての２枚のシート状接点１１１と、絶縁性の弾性部材１１２と、シート状カバー１１３と、粘着層１１４とを備えている。
このうち、２枚のシート状接点１１１は、パッド厚み方向Ｄにおいて互いに少なくとも一部を対向させるとともに離間して配置されてコネクタ付き配線コード１２０と電気的にそれぞれ接続されている。
【００２４】
また、図２（Ａ）に示すように、弾性部材１１２は、パッド厚み方向Ｄにおいて２つの線状またはシート状の接点としてのシート状接点１１１の間に配置されている。
そして、図２（Ｂ）に示すように、弾性部材１１２の中空部１１２ａは、２枚のシート状接点１１１におけるパッド位置中央部分１１１ａと対向せず、弾性部材１１２は、２枚のシート状接点１１１におけるパッド位置側方部分１１１ｂの少なくとも一部と対向するように設けられている。
さらに、図２（Ａ）および図２（Ｂ）に示すように、シート状カバー１１３は、パッド部１１０の外表面を形成し、変形自在な素材の一例としてＰＶＣ（ポリ塩化ビニル）シートで形成されている。
一例として、２枚のシート状カバー１１３の縁部が、熱溶着されて、シート状接点１１１、弾性部材１１２を覆うように構成されている。
【００２５】
これにより、図３（Ａ）および図３（Ｂ）に示すように、ＡＥＤトレーニングの際にユーザーがパッド部１１０を人体イラストシートＢＳに当てて密着させるためにパッド部１１０の中央を強く押しつける。
すると、パッド部１１０の内部において互いに離間していた２枚のシート状接点１１１が接近する方向に力が作用して、弾性部材１１２が変形して、２枚のシート状接点１１１の中央部分が互いに接触して通電する。
その結果、ＡＥＤトレーニング装置本体ＴＫが通電を検知して次のステップに進むことができる。
【００２６】
つまり、パッド部１１０と人体イラストシートＢＳとの密着程度に関わらず、ユーザーがパッド部１１０を人体イラストシートＢＳに当ててパッド部１１０の中央を強く押しつけるとパッド部１１０の内部において確実に通電する。
その結果、乾燥などによる密着不良による通電不良を回避して次のステップに確実に進むことができる。
なお、ユーザーがパッド部１１０の中央を強く押しつけてから手を離すと弾性部材１１２が元の形状に戻るとともに弾性部材１１２の弾性力により２枚のシート状接点１１１におけるパッド位置中央部分１１１ａがパッド厚み方向Ｄにおいて互いに離間移動する。
その結果、２枚のシート状接点１１１の電気的接触について元の不通電状態に戻すことができる。
【００２７】
そして、このパッド部１１０の内部の通電により、コネクタ付き配線コード１２０を介してパッド部１１０と電気的に接続されたＡＥＤトレーニング装置本体ＴＫが、パッド部１１０の内部の通電を検知する。
すると、ＡＥＤトレーニング装置本体ＴＫが、パッドが正しく貼られたと判定し、次のステップへ進む。
次のステップとして、ＡＥＤトレーニング装置本体ＴＫが、「心電図を調べています。身体に触らないでください。」の旨を音声出力する。
【００２８】
そして、モード設定に応じて、ＡＥＤトレーニング装置本体ＴＫが、「電気ショックが必要です。充電しています。」の旨を音声出力する。
さらに、ＡＥＤトレーニング装置本体ＴＫが、「身体から離れてください。本体の点滅ボタンをしっかりと押してください。」の旨を音声出力する。
そして、ＡＥＤトレーニング装置本体ＴＫの所定ボタンＴＫ２が押されると、ＡＥＤトレーニング装置本体ＴＫが、「電気ショックを行いました。身体に触っても大丈夫です。ただちに、胸骨圧迫を始めてください。」の旨を音声出力する。
このガイド音声に沿って、ユーザーが、胸骨圧迫（心臓マッサージ）の練習をする。
【００２９】
さらに、本実施例では、図２（Ａ）に示すように、パッド部１１０が、パッド厚み方向Ｄにおいてシート状カバー１１３とシート状接点１１１との間に配置されてシート状カバー１１３とシート状接点１１１とを接着する粘着層１１４をさらに有している。
これにより、図３（Ａ）および図３（Ｂ）に示すように、ユーザーがパッド部１１０の中央を強く押しつけてから手を離すと弾性部材１１２が元の形状に戻るとともに弾性部材１１２の弾性力によりシート状カバー１１３がパッド厚み方向Ｄにおける離間移動のように元の形状に戻される。
これとともに、２枚のシート状接点１１１もシート状カバー１１３の離間移動とともに互いに離間移動する。
その結果、２枚のシート状接点１１１の電気的接触についてより確実に元の不通電状態に戻すことができる。
つまり、繰り返し使用した場合であっても電気接続の面で経年劣化しない。
その結果、耐久性のあるＡＥＤトレーニング装置用パッド１００を提供することができる。
【００３０】
なお、弾性部材１１２の通路部１１２ｂに、コネクタ付き配線コード１２０が通されている。
さらに、シート状カバー１１３の孔１１３ａにコネクタ付き配線コード１２０が通されている。
そして、図３（Ａ）および図３（Ｂ）に示すように、パッド部１１０が押されて通電状態になる際、弾性部材１１２の中空部１１２ａの空気が、弾性部材１１２の通路部１１２ｂおよびシート状カバー１１３の孔１１３ａを介してパッド部１１０の内部から外部へ抜ける。
【００３１】
他方、元の不通電状態に戻る際、弾性部材１１２の弾性力によりシート状カバー１１３がパッド厚み方向Ｄにおける離間移動のように元の形状に戻されるとともに、弾性部材１１２の通路部１１２ｂおよびシート状カバー１１３の孔１１３ａを介してパッド部１１０の外部から内部へ空気が入り、弾性部材１１２の中空部１１２ａへ空気が入る。
つまり、シート状カバー１１３によりパッド部１１０が略密封された構造になっていても、パッド部１１０の中央をユーザーが手で押すと、通電し、手を離すと、不通電に戻る。
【００３２】
さらに、本実施例では、図１、図４（Ａ）および図４（Ｂ）に示すように、ＡＥＤトレーニング装置本体ＴＫの筐体ケースＫＳが、パッド収納部ＫＳ１と、蓋部ＫＳ３とを備えている。
なお、蓋部ＫＳ３は、一例として、透明シート状部材ＫＳ６によって形成されている。
このうち、パッド収納部ＫＳ１は、開口ＫＳ２を有してＡＥＤトレーニング装置用パッド１００を収納するように設けられている。
また、蓋部ＫＳ３は、開口ＫＳ２を開閉自在に設けられている。
【００３３】
これにより、ＡＥＤトレーニング装置本体ＴＫと一緒に使用するＡＥＤトレーニング装置用パッド１００が筐体ケースＫＳのパッド収納部ＫＳ１に収納自在となる。
その結果、ユーザーはＡＥＤトレーニング装置本体ＴＫを使用する際にパッド収納部ＫＳ１からＡＥＤトレーニング装置用パッド１００を取り出して使用し、使用後においてＡＥＤトレーニング装置用パッド１００をパッド収納部ＫＳ１の内部に戻すことによりＡＥＤトレーニング装置用パッド１００の紛失を回避することができる。
【００３４】
また、本実施例では、図１に示すように、ＡＥＤトレーニング装置本体ＴＫの筐体ケースＫＳが、シートを収納自在なポケット状のシート収納部ＫＳ７を備えている。
このポケット状のシート収納部ＫＳ７は、透明シート状部材ＫＳ６で形成されて筐体ケースＫＳの一部を覆うとともに開口ＫＳ８を有している。
これにより、例えば、ＡＥＤ装置の外装デザインと同じデザインのシートがシート収納部ＫＳ７に収納自在となり、実際に学校などに設置されているＡＥＤ装置の外装デザインと同じデザインのシートをシート収納部ＫＳ７に収納することにより、ユーザーがＡＥＤトレーニング装置本体ＴＫの筐体ケースＫＳのシート収納部ＫＳ７に収納されたシートを見たとき、ＡＥＤトレーニング装置が、実際に学校などに設定されているＡＥＤ装置とほぼ同一視される。
その結果、ユーザーのＡＥＤ装置についての認識度を高めることができる。
【００３５】
なお、蓋部ＫＳ３は、透明シート状部材ＫＳ６によってシート収納部ＫＳ７と一体に形成されている。
そして、図４（Ａ）に示すように、蓋部ＫＳ３が閉じた状態では、蓋部ＫＳ３の自由端の先端は、筐体ケースＫＳに設けられたスリットＫＳ４に入り込むように設けられている。
さらに、蓋部ＫＳ３の一部に面ファスナーＫＳ５が取り付けられ、他方の筐体ケースＫＳにも面ファスナーＫＳ５が取り付けられている。
そして、蓋部ＫＳ３が閉じた状態では、蓋部ＫＳ３の面ファスナーＫＳ５と筐体ケースＫＳの面ファスナーＫＳ５とが面接触して、蓋部ＫＳ３が閉じた姿勢を保つように構成されている。
これにより、ユーザーが、ＡＥＤトレーニング装置本体ＴＫを持ち運ぶ際、蓋部ＫＳ３の面ファスナーＫＳ５と筐体ケースＫＳの面ファスナーＫＳ５との結合力が、パッド収納部ＫＳ１に収納されたＡＥＤトレーニング装置用パッド１００の自重などに対抗する。
その結果、蓋部ＫＳ３が勝手に開いてしまうことを回避することができる。
【００３６】
このようにして得られた本考案の実施例であるＡＥＤトレーニング装置用パッド１００は、パッド部１１０と、パッド部１１０とＡＥＤトレーニング装置本体ＴＫとを接続するコネクタ付き配線コード１２０とを備え、パッド部１１０が、パッド厚み方向Ｄにおいて互いに少なくとも一部を対向させるとともに離間して配置されてコネクタ付き配線コード１２０と電気的にそれぞれ接続する２つの線状またはシート状の接点であるシート状接点１１１と、パッド厚み方向Ｄにおいて２枚のシート状接点１１１の間に配置されて２枚のシート状接点１１１におけるパッド位置中央部分１１１ａと対向せず２枚のシート状接点１１１におけるパッド位置側方部分１１１ｂの少なくとも一部と対向する絶縁性の弾性部材１１２と、パッド部１１０の外表面を形成する変形自在なシート状カバー１１３とを有していることにより、乾燥などによる密着不良による通電不良を回避して次のステップに確実に進むことができる。
【００３７】
さらに、パッド部１１０が、パッド厚み方向Ｄにおいてシート状カバー１１３とシート状接点１１１との間に配置されてシート状カバー１１３とシート状接点１１１とを接着する粘着層１１４をさらに有していることにより、２枚のシート状接点１１１の電気的接触についてより確実に元の不通電状態に戻すことができ、耐久性のあるＡＥＤトレーニング装置用パッド１００を提供することができる。
【００３８】
また、ＡＥＤトレーニング装置本体ＴＫの筐体ケースＫＳが、開口ＫＳ２を有してＡＥＤトレーニング装置用パッド１００を収納するパッド収納部ＫＳ１と、開口ＫＳ２を開閉自在な蓋部ＫＳ３とを備えていることにより、ユーザーはＡＥＤトレーニング装置本体ＴＫを使用する際にパッド収納部ＫＳ１からＡＥＤトレーニング装置用パッド１００を取り出して使用し、使用後においてＡＥＤトレーニング装置用パッド１００をパッド収納部ＫＳ１の内部に戻すことによりＡＥＤトレーニング装置用パッド１００の紛失を回避することができる。
【００３９】
さらに、ＡＥＤトレーニング装置本体ＴＫの筐体ケースＫＳが、透明シート状部材ＫＳ６で形成されて筐体ケースＫＳの一部を覆うとともに開口ＫＳ８を有してシートを収納自在なシート収納部ＫＳ７を備えていることにより、例えば、ＡＥＤ装置の外装デザインと同じデザインのシートがシート収納部ＫＳ７に収納自在となり、実際に学校などに設置されているＡＥＤ装置の外装デザインと同じデザインのシートをシート収納部ＫＳ７に収納することにより、ユーザーのＡＥＤ装置についての認識度を高めることができるなど、その効果は甚大である。
【符号の説明】
【００４０】
１００  ・・・  ＡＥＤトレーニング装置用パッド
１１０  ・・・  パッド部
１１１  ・・・  シート状接点
１１１ａ・・・  （シート状接点における）パッド位置中央部分
１１１ｂ・・・  （シート状接点における）パッド位置側方部分
１１２  ・・・  弾性部材
１１２ａ・・・  中空部
１１２ｂ・・・  通路部
１１３  ・・・  シート状カバー
１１３ａ・・・  孔
１１４  ・・・  粘着層
１２０  ・・・  コネクタ付き配線コード
ＰＳ    ・・・  パッド用シート
ＢＳ    ・・・  人体イラストシート（人体イラスト）
ＢＳ１  ・・・  （パッドの）貼り付け箇所
ＢＳ２  ・・・  （模擬心臓の）載置場所
ＴＫ    ・・・  ＡＥＤトレーニング装置本体
ＴＫ１  ・・・  スピーカ
ＴＫ２  ・・・  ボタン
ＨＴ    ・・・  模擬心臓
Ｄ      ・・・  パッド厚み方向
ＫＳ    ・・・  （ＡＥＤトレーニング装置本体の）筐体ケース
ＫＳ１  ・・・  パッド収納部
ＫＳ２  ・・・  （パッド収納部の）開口
ＫＳ３  ・・・  蓋部
ＫＳ４  ・・・  スリット
ＫＳ５  ・・・  面ファスナー
ＫＳ６  ・・・  透明シート状部材
ＫＳ７  ・・・  シート収納部
ＫＳ８  ・・・  （シート収納部の）開口
【図１】
0003232409.tif 000003
【図２】
0003232409.tif 000004
【図３】
0003232409.tif 000005
【図４】
0003232409.tif 000006